(57)【要約】  【課題】  従来の回路基板を用いながら、トンネル半田を防止し、半田付け不良なくした電解コンデンサを提供することである。  【解決手段】  電解コンデンサ１０は、回路基板２０の２つの孔２１、２２にそれぞれ挿通され半田２３、２４によって固定される２本のリード１２、１３を有し、リード１２、１３には、孔２１、２２を通過不可能な２箇所の屈曲部１２ａ、１２ｂ、１３ａ、１３ｂがそれぞれ形成され、屈曲部１２ａと１２ｂ、屈曲部１３ａと１３ｂの角は鈍角で互いに錯角となる構成とする。【選択図】      図１
2006269872.tif 000002
【特許請求の範囲】
【請求項１】
２つの孔を有する回路基板と、前記２つの孔にそれぞれ挿通され半田付けされる２本の
リードを有する電解コンデンサとを備えた記録媒体再生装置において、
前記リードには、前記孔を通過不可能な２箇所の屈曲部が形成され、該屈曲部の角は鈍
角で互いに錯角となることを特徴とする記録媒体再生装置。
【請求項２】
２つの孔を有する回路基板と、前記２つの孔にそれぞれ挿通され半田付けされる２本の
リードを有する電解コンデンサとを備えたテレビにおいて、
前記リードには、前記孔を通過不可能な２箇所の屈曲部が形成され、該屈曲部の角は鈍
角で互いに錯角となることを特徴とするテレビ。
【請求項３】
２つの孔を有する回路基板と、前記２つの孔にそれぞれ挿通され半田付けされる２本の
リードを有する電解コンデンサとを備えた記録媒体再生装置一体型テレビにおいて、
前記リードには、前記孔を通過不可能な２箇所の屈曲部が形成され、該屈曲部の角は鈍
角で互いに錯角となることを特徴とする記録媒体再生装置一体型テレビ。
【請求項４】
回路基板の孔に挿通され半田付けされるリードを備えた電解コンデンサにおいて、
前記リードには、前記孔を通過不可能な屈曲部が形成されていることを特徴とする電解
コンデンサ。
【請求項５】
１本の前記リードに前記屈曲部が２箇所形成されていることを特徴とする請求項４記載
の電解コンデンサ。
【請求項６】
前記２箇所の屈曲部の角は、互いに錯角となることを特徴とする請求項５記載の電解コ
ンデンサ。
【発明の詳細な説明】
【技術分野】
【０００１】
本発明は、電解コンデンサ及びそれを備えた機器に関し、詳しくは電解コンデンサのリ
ードの構造に関するものである。
【背景技術】
【０００２】
図６は、従来の回路基板に電解コンデンサが装着された状態を示す断面図である。回路
基板２０への電解コンデンサ６０の装着は、絶縁基板表面に導電パターンを形成し、この
導電パターンの所定位置に孔２１、２２を設け、孔２１、２２に電解コンデンサ６０のリ
ード６２、６３を挿通し、リード６２、６３と導電パターンとを半田２３、２４により固
定することにより行われる。
【０００３】
半田付け工程は、回路基板２０を半田ディップ槽に浸けて半田ディップする。このとき
電解コンデンサ６０は回路基板２０に密着しているので、半田２３、２４が孔２１、２２
を塞ぐことで電解コンデンサの底面空間６４が密閉状態となる。この空間６４のガスは半
田によって加熱され膨張する。そして、逃げ場を失ったガスは、溶解している半田を吹き
飛ばし孔２１、２２を通じて吹き出す。その結果、図６に示すように、半田のない部分Ａ
、所謂トンネル半田が形成される。
【０００４】
このように、回路基板２０と電解コンデンサ６０との装着部に密閉された空間６４があ
ると、半田付け不良の原因となり、回路基板２０及びそれを搭載した機器の品質不良や信
頼性低下に繋がる。そこで、特許文献１〜３に解決策が提案されている。
【０００５】
特許文献１では、基板に段差（抜きパターン）を設け、電子部品と基板との間に隙間を
形成してガス抜きを行っている。また特許文献２では、基板上に溝のあるシルク印刷層を
設け、その上に電解コンデンサを載せることで、溝からガスを排出している。また特許文
献３では、印刷回路基板上に段部を形成してガスを排出している。
【特許文献１】特開２００４−５５７９８号公報
【特許文献２】特開２００１−３３９１４９号公報
【特許文献３】特開平６−１６９１４２号公報
【発明の開示】
【発明が解決しようとする課題】
【０００６】
しかしながら、上記の特許文献１〜３は何れも回路基板を加工して段差を設けているの
で、新たな加工工程が必要になったり、配線パターンの邪魔になったりするという問題が
ある。
【０００７】
本発明は、従来の回路基板を用いながら、トンネル半田を防止し、半田付け不良なくし
た電解コンデンサを提供することを目的とする。またその電解コンデンサを備えた機器を
提供することも目的とする。
【課題を解決するための手段】
【０００８】
上記目的を達成するために本発明の電解コンデンサは、回路基板の孔に挿通され半田付
けされるリードを備えた電解コンデンサにおいて、前記リードには、前記孔を通過不可能
な屈曲部が形成されていることを特徴とする。
【０００９】
この構成によると、リードの一部が孔の上縁部に引っ掛かり支持されるので、電解コン
デンサ本体と回路基板との間に隙間が空いた状態で電解コンデンサが支持される。
【００１０】
上記の電解コンデンサにおいて、例えば、１本の前記リードに前記屈曲部を２箇所形成
してもよい。これにより、電解コンデンサ本体と回路基板との間の隙間を維持しつつ、孔
に挿入しやすい方向にリードを曲げることができる。
【００１１】
更に、前記２箇所の屈曲部の角は、互いに錯角となることが望ましい。つまり、２箇所
の屈曲部が同角度で、屈曲部の上下のリードが平行である。これにより、リードを孔に垂
直に挿入することになり、挿入しやすくなる。
【００１２】
また本発明の記録媒体再生装置は、２つの孔を有する回路基板と、前記２つの孔にそれ
ぞれ挿通され半田付けされる２本のリードを有する電解コンデンサとを備えた記録媒体再
生装置において、前記リードには、前記孔を通過不可能な２箇所の屈曲部が形成され、該
屈曲部の角は鈍角で互いに錯角となることを特徴とする。
【００１３】
また本発明のテレビは、２つの孔を有する回路基板と、前記２つの孔にそれぞれ挿通さ
れ半田付けされる２本のリードを有する電解コンデンサとを備えたテレビにおいて、前記
リードには、前記孔を通過不可能な２箇所の屈曲部が形成され、該屈曲部の角は鈍角で互
いに錯角となることを特徴とする。
【００１４】
また本発明の記録媒体再生装置一体型テレビは、２つの孔を有する回路基板と、前記２
つの孔にそれぞれ挿通され半田付けされる２本のリードを有する電解コンデンサとを備え
た記録媒体再生装置一体型テレビにおいて、前記リードには、前記孔を通過不可能な２箇
所の屈曲部が形成され、該屈曲部の角は鈍角で互いに錯角となることを特徴とする。
【発明の効果】
【００１５】
本発明によれば、電解コンデンサ本体は回路基板との間に隙間を有しているため従来の
ようなトンネル半田は生じないので、半田付け不良がなくなり、回路基板及びそれを搭載
した記録媒体再生装置やテレビや記録媒体再生装置一体型テレビの品質向上や信頼性向上
に繋がる。
【発明を実施するための最良の形態】
【００１６】
図１は、回路基板に電解コンデンサが装着された状態を示す断面図、図２は、回路基板
の上面図である。電解コンデンサ１０は、電解コンデンサ本体１１と、電解コンデンサ本
体１１の窪んだ底面から延びる２本のリード１２、１３とからなる。絶縁基板からなる回
路基板２０は、リード１２、１３を挿通する２つの孔２１、２２を有し、孔２１、２２の
下縁部には半田付けのための導電パターン（不図示）が形成されている。
【００１７】
リード１２には、孔２１を通過不可能な２箇所の屈曲部１２ａ、１２ｂが形成されてい
る。ここでリード１２の先端部（下端部）から屈曲部１２ａまでをリード下部１２ｃとし
、屈曲部１２ａから屈曲部１２ｂまでをリード中部１２ｄ、屈曲部１２ｂからリード１２
の電解コンデンサ本体１１との接続部（上端部）までをリード上部１２ｅとする。そうす
ると、リード下部１２ｃとリード中部１２ｄとのなす角（屈曲部１２ａの角）と、リード
中部１２ｄとリード上部１２ｅとのなす角（屈曲部１２ｂの角）は鈍角であり、互いに錯
角となることが望ましい。つまり、屈曲部１２ａと屈曲部１２ｂとが同角度で、リード下
部１２ｃとリード上部１２ｅとが平行である。
【００１８】
なお、屈曲部１２ａと屈曲部１２ｂとは鋭角でも構わないが、鈍角とすることにより、
直線のリード１２を折り曲げ加工する際にリード１２が折れて切断されることを抑制でき
る。また、リード下部１２ｃとリード上部１２ｅとは必ずしも平行である必要はなく、リ
ード下部１２ｃが孔２１を通過できる方向を向いていればよい。
【００１９】
一方、リード１３はリード１２と対称な形状であり、屈曲部１３ａ、１３ｂ、リード下
部１３ｃ、リード中部１３ｄ、リード上部１３ｅから構成される。ここで、リード上部１
２ｅとリード上部１３ｅとの間隔Ｌは、孔２１と孔２２との内側間隔Ｍよりも短くする必
要がある。電解コンデンサ１０を回路基板２０に装着した際に、リード中部１２ｄ、１３
ｄが孔２１、２２の上縁部に引っ掛かり支持されるようにするためである。また、リード
下部１２ｃとリード下部１３ｃとの間隔Ｎは、孔２１の中心と孔２２の中心との間隔Ｏに
等しいことが望ましい。リード下部１２ｃ、１３ｃを孔２１、２２にスムーズに挿通させ
るためである。なお、間隔Ｎは、内側間隔Ｍと、孔２１と孔２２との外側間隔Ｐとの範囲
内で設計可能である。例えば、間隔Ｌは２．０ｍｍ、間隔Ｎ及び間隔Ｏは２．５ｍｍとす
ることができる。
【００２０】
回路基板２０への電解コンデンサ１０の装着は、孔２１、２２にリード１２、１３を挿
通し、リード１２、１３と導電パターンとを半田２３、２４により固定する。このとき、
リード中部１２ｄ、１３ｄが孔２１、２２の上縁部に引っ掛かり支持されるので、電解コ
ンデンサ本体１１と回路基板２０との間には隙間が空く。この隙間は、リード上部１２ｅ
、１３ｅの長さにより決定される。
【００２１】
半田付け工程は、回路基板２０を半田ディップ槽に浸けて半田ディップする。このとき
電解コンデンサ本体１１は回路基板２０との間に隙間を有しているのでガスの逃げ場が確
保されており、半田２３、２４が孔２１、２２を塞いでも従来のようにトンネル半田は生
じない。従って、半田付け不良がなくなり、回路基板２０及びそれを搭載した記録媒体再
生装置やテレビや記録媒体再生装置一体型テレビの品質向上や信頼性向上に繋がる。
【００２２】
図３〜図５は、回路基板に他の形態の電解コンデンサが装着された状態を示す断面図で
ある。図１と同じ構成部品には同符号を付してその説明を省略する。
【００２３】
図３に示す電解コンデンサ３０は、図１の電解コンデンサ１０のリード１２、１３をリ
ード３２、３３となるように対称に移動させたものである。従って、符号３２ａ〜３２ｅ
は符号１２ａ〜１２ｅに、符号３３ａ〜３３ｅは符号１３ａ〜１３ｅにそれぞれ対応する
。
【００２４】
ここで、リード上部３２ｅとリード上部３３ｅとの間隔Ｌ’は、孔２１と孔２２との外
側間隔Ｐよりも長くする必要がある。電解コンデンサ３０を回路基板２０に装着した際に
、リード中部３２ｄ、３３ｄが孔２１、２２の上縁部に引っ掛かり支持されるようにする
ためである。また、リード下部３２ｃとリード下部３３ｃとの間隔Ｎ’は、孔２１の中心
と孔２２の中心との間隔Ｏに等しいことが望ましい。リード下部３２ｃ、３３ｃを孔２１
、２２にスムーズに挿通させるためである。なお、間隔Ｎ’は、内側間隔Ｍと、外側間隔
Ｐとの範囲内で設計可能である。例えば、間隔Ｌ’は３．０ｍｍ、間隔Ｎ’及び間隔Ｏは
２．５ｍｍとすることができる。
【００２５】
図４に示す電解コンデンサ４０は、図１の電解コンデンサ１０とはリード４２、４３の
形状が異なる。リード４２には、孔２１を通過不可能な３箇所の屈曲部４２ａ〜４２ｃが
形成されている。ここでリード４２の先端部（下端部）から屈曲部４２ａまでをリード下
部４２ｄとし、屈曲部４２ｃからリード４２の電解コンデンサ本体１１との接続部（上端
部）までをリード上部４２ｅとする。そうすると、リード４２は、直線状のリードの中央
付近をＵ字型に折り曲げて屈曲部４２ａ〜４２ｃを形成し、リード下部４２ｄとリード上
部４２ｅとが一直線上になるように形成したものである。なお、リード下部４２ｄとリー
ド上部４２ｅとは必ずしも一直線上にある必要はなく、平行であっても構わない。
【００２６】
一方、リード４３はリード４２と対称な形状であり、屈曲部４３ａ〜４３ｃ、リード下
部４３ｄ、リード上部４３ｅから構成される。ここで、屈曲部４２ｂと屈曲部４３ｂとの
間隔Ｑは、孔２１と孔２２との外側間隔Ｐよりも長くする必要がある。電解コンデンサ４
０を回路基板２０に装着した際に、屈曲部４２ｂ、４３ｂが孔２１、２２の上縁部に引っ
掛かり支持されるようにするためである。この電解コンデンサ４０を回路基板２０に装着
すると、屈曲部４２ｂ、４３ｂが孔２１、２２の上縁部で支持され、電解コンデンサ本体
１１と回路基板２０との間に隙間が空く。
【００２７】
なお、図４では屈曲部４２ｂ、４３ｂが電解コンデンサ４０の外側に凸になるように形
成されているが、片方又は両方の屈曲部４２ｂ、４３ｂを内側に凸になるように形成して
もよい。
【００２８】
図５に示す電解コンデンサ５０は、図１の電解コンデンサ１０とはリード５２、５３の
形状が異なる。リード５２には、孔２１を通過不可能な１箇所の屈曲部５２ａが形成され
ている。ここでリード５２の先端部（下端部）から屈曲部５２ａまでをリード下部５２ｂ
とし、屈曲部５２ａからリード５２の電解コンデンサ本体１１との接続部（上端部）まで
をリード上部５２ｃとする。そうすると、リード５２は、直線状のリードの中央付近を折
り曲げて屈曲部５２ａを形成し、リード下部５２ｂとリード上部５２ｃとでＶ字型になる
ように形成したものである。なお、屈曲部５２ａは鋭角でも構わないが、鈍角とすること
により、直線のリードを折り曲げ加工する際にリード５２が折れて切断されることを抑制
できる。また、リード下部５２ｂは孔２１を通過できる方向を向いていればよい。
【００２９】
一方、リード５３はリード５２と対称な形状であり、屈曲部５３ａ、リード下部５３ｂ
、リード上部５３ｃから構成される。ここで、屈曲部５２ａと屈曲部５３ａとの間隔Ｒは
、孔２１と孔２２との内側間隔Ｍよりも短くする必要がある。電解コンデンサ５０を回路
基板２０に装着した際に、リード下部５２ｂ、５３ｂが孔２１、２２の上縁部に引っ掛か
り支持されるようにするためである。この電解コンデンサ５０を回路基板２０に装着する
と、リード下部５２ｂ、５３ｂが孔２１、２２の上縁部で支持され、電解コンデンサ本体
１１と回路基板２０との間に隙間が空く。
【００３０】
なお、図５では屈曲部５２ａ、５３ａが電解コンデンサ５０の外側に凸になるように形
成されているが、片方又は両方の屈曲部５２ａ、５３ａを内側に凸になるように形成して
もよい。
【００３１】
このように、図３〜図５の電解コンデンサ３０、４０、５０によっても、電解コンデン
サ本体１１は回路基板２０との間に隙間を有しているのでガスの逃げ場が確保されており
トンネル半田は生じない。従って、半田付け不良がなくなり、回路基板２０及びそれを搭
載した記録媒体再生装置やテレビや記録媒体再生装置一体型テレビの品質向上や信頼性向
上に繋がる。
【産業上の利用可能性】
【００３２】
本発明の電解コンデンサは、回路基板に装着して、ビデオデッキやＣＤ、ＤＶＤ等の光
ディスク装置などの記録媒体再生（録画）装置や、テレビ、記録媒体再生（録画）装置一
体型テレビに搭載することができる。
【図面の簡単な説明】
【００３３】
【図１】本発明の回路基板に電解コンデンサが装着された状態を示す断面図である。
【図２】本発明の回路基板の上面図である。
【図３】本発明の回路基板に他の形態の電解コンデンサが装着された状態を示す断面図である。
【図４】本発明の回路基板に他の形態の電解コンデンサが装着された状態を示す断面図である。
【図５】本発明の回路基板に他の形態の電解コンデンサが装着された状態を示す断面図である。
【図６】従来の回路基板に電解コンデンサが装着された状態を示す断面図である。
【符号の説明】
【００３４】
１０、３０、４０、５０    電解コンデンサ
１２、１３、３２、３３、４２、４３、５２、５３    リード
１２ａ、１２ｂ、１３ａ、１３ｂ、３２ａ、３２ｂ、３３ａ、３３ｂ、４２ａ〜４
２ｃ、４３ａ〜４３ｃ、５２ａ、５３ａ    屈曲部
２０    回路基板
２１、２２    孔
【図１】
2006269872.tif 000003
【図２】
2006269872.tif 000004
【図３】
2006269872.tif 000005
【図４】
2006269872.tif 000006
【図５】
2006269872.tif 000007
【図６】
2006269872.tif 000008